(57)【要約】【課題】  低トルクで高速回転に対応でき、さらに長寿命となる複列スラスト針状ころ軸受を提供する。【解決手段】  複列スラスト針状ころ軸受は、対向する１対の軌道面の間で軸受の径方向の外側に配置された外側ころ３０３と、軸受の径方向の内側に配置された内側ころ３０２とからなる転動体と、外側ころ３０３および内側ころ３０２を保持する保持器３０１とを備える。保持器３０１は、１対の軌道面に接触しないように転動体３０２，３０３によって案内されている。【選択図】      図６
2006017201.tif 000002
【特許請求の範囲】
【請求項１】
対向する１対の軌道面の間で軸受の径方向の外側に配置された外側ころと、軸受の径方向の内側に配置された内側ころとからなる転動体と、
前記外側ころおよび前記内側ころを保持する保持器とを備え、
前記保持器は、前記１対の軌道面に接触しないように前記転動体によって案内されていることを特徴とする、複列スラスト針状ころ軸受。
【請求項２】
軸受の回転軸線方向に沿う前記保持器の高さ寸法は、前記ころの直径より小さい、請求項１に記載の複列スラスト針状ころ軸受。
【請求項３】
前記保持器は、周方向に間隔をあけて設けられた複数のポケットを含み、
前記複数のポケットの各々に、前記外側ころおよび前記内側ころが収容されている、請求項１または２に記載の複列スラスト針状ころ軸受。
【請求項４】
前記保持器は、軸受の径方向の外側の位置で周方向に間隔をあけて設けられた複数の外側ポケットと、軸受の径方向の内側の位置で周方向に間隔をあけて設けられた複数の内側ポケットとを含み、
前記複数の外側ポケットの各々に、前記外側ころが収容され、
前記複数の内側ポケットの各々に、前記内側ころが収容されている、請求項１または２に記載の複列スラスト針状ころ軸受。
【請求項５】
前記外側ころはＦ端面またはＡ端面を有し、前記内側ころはＦ端面またはＡ端面を有している、請求項１〜４のいずれかに記載の複列スラスト針状ころ軸受。
【請求項６】
前記外側ころと前記内側ころとは、同じ長さを有している、請求項１〜５のいずれかに記載の複列スラスト針状ころ軸受。
【請求項７】
前記外側ころは、前記内側ころよりも長い、請求項１〜５のいずれかに記載の複列スラスト針状ころ軸受。
【請求項８】
前記外側ころは、前記内側ころよりも短い、請求項１〜５のいずれかに記載の複列スラスト針状ころ軸受。
【請求項９】
前記保持器のころ保持部の角部を滑らかにだらしている、請求項１〜８のいずれかに記載の複列スラスト針状ころ軸受。
【発明の詳細な説明】
【技術分野】
【０００１】
本発明は、自動車のエアコンディショナー用コンプレッサ、オートマチックトランスミッション、無断変速機、自動車や自動二輪車等の各種車両の電動ブレーキ等に用いられるスラスト針状ころ軸受に関するものである。このスラスト針状ころ軸受は、これらの部品または装置の回転部分に設置し、この回転部分に加わるスラスト荷重を支持するために使用される。
【背景技術】
【０００２】
スラスト針状ころ軸受は、対向する１対の軌道部材の間に配置される複数の針状ころと、保持器とからなり、単純な構造で高負荷容量と高剛性とを実現できるものとして知られている。また、スラスト針状ころ軸受は、軸方向の高さ（厚み）が小さい等の利点を有するので、省スペース化が要求される用途に広く使用されている。
【０００３】
スラストころ軸受の代表例であるスラスト針状ころ軸受が使用される主な用途としては、自動車用エアコンのコンプレッサがある。特開２００３−９７５６２号公報（特許文献１）は種々のタイプのコンプレッサを開示している。例えば図１に示すように、入力回転軸５０８に固定した両面傾斜板５０９でピストン５１０を往復動させる両斜板タイプ、図２に示すように、入力回転軸６１１に固定した片面傾斜板６１２でロッド６１３を介してピストン６１４を往復動させる片斜板タイプ、更に図３に示すように、入力回転軸７１５に角度可変に取付けた斜板７１６でロッド７１７を介してピストン７１８を往復動させる可変容量片斜板タイプがある。
【０００４】
具体的な軸受使用例は、図１の両斜板タイプの場合、保持器付き針状ころ軸受５１９とスラスト針状ころ軸受５２０が、使用されている。図２の片斜板タイプは、シェル形針状ころ軸受６２１とスラスト針状ころ軸受６２２が、使用されている。更に図３の可変容量片斜板タイプは保持器付き針状ころ軸受７２３とスラスト針状ころ軸受７２４が使用されている。この様に、スラスト針状ころ軸受は、断面高さが低い等の利点を有するためコンプレッサ等の特に、省スペース化が要求される用途に使用されている。
【０００５】
スラスト針状ころ軸受が使用される別の用途として、電動ブレーキがある。各種車両の電動ブレーキは、例えば、特開２００３−２４７５７６号公報（特許文献２）および特開２０００−２３８６２８号公報（特許文献３）に開示されている。
【０００６】
特開２００３−２４７５７６号公報に開示された電動ブレーキでは、電動モータの駆動力で進退し摩擦パッドの押圧部材に押圧力を発生させる進退作動機構を設け、この進退作動機構によりディスクロータに摩擦パッドを押圧摺動させて制動を行なっている。電動ブレーキは、電動モータの駆動力を減速して進退作動機構に伝達する減速ギア機構を備える。電動モータと摩擦パッドとの間に、減速ギア機構が配置される。
【０００７】
上記の電動ブレーキにおいて、減速ギア機構は、電動モータにより回転駆動される遊星腕と、この遊星腕の外周部に回転可能に支持された遊星歯車と、遊星歯車に噛合う外歯を有する太陽歯車と、遊星歯車に噛合う外歯を有し太陽歯車に対面するように配置される減速歯車と、減速歯車と一体となって回転するボールねじナットとを備える。スラスト荷重が作用する太陽歯車と減速歯車との間に、スラスト針状ころ軸受が配置される。
【０００８】
特開２０００−２３８６２８号公報は、車両の一時停止状態、パーキングブレーキ作動などの一定条件のもとでブレーキ力を保持、解除できるブレーキ力保持装置を開示している。この公報に開示された装置にも、スラスト荷重を受けながら相対回転する部位に軸受が配置されているが、この軸受の構造については詳しく記載されていない。
【特許文献１】特開２００３−９７５６２号公報
【特許文献２】特開２００３−２４７５７６号公報
【特許文献３】特開２０００−２３８６２８号公報
【発明の開示】
【発明が解決しようとする課題】
【０００９】
スラスト針状ころ軸受では、その基本構造に由来して、ころと軌道輪との間に差動すべりが生ずる。より詳しく説明すると、スラスト針状ころ軸受の場合、平面の軌道面を有する軌道輪の上に、転動体として円柱形状の針状ころを配置し、このころと軌道面とが線接触する構造になっている。軸受の回転中心と、ころの公転運動の中心とは一致する。ころは軸受の径方向に所定の長さを有しているが、ころの転動面上における周速度は、同じ速度である。一方、ころに転がり接触する軌道輪の軌道面は、軸受の回転中心から外径方向に向かうほど周速度は大きくなる。そのため、ころと軌道輪の軌道面との間の周速度差は、ころの両端部で最大となる。
【００１０】
理論上では、軸受のピッチ円上のみで純転がり運動を行い、ピッチ円上の点からころの両端部に向けて、ころと軌道面との周速度差が大きくなり、差動すべりが増大する。この差動すべりは、ころの長さに比例して大きくなる。
【００１１】
スラスト針状ころ軸受における差動すべりは、他の形式の軸受と比較して大きい。そのため、差動すべりが原因となって、ころのエッジ部と軌道輪との間でエッジ応力が発生しやすく、軌道輪のころ転走部のエッジ部に表面起点型の剥離が発生しやすくなる。
【００１２】
また、針状ころに差動すべりが発生すると、油膜切れが起こり、ころと軌道輪とが金属接触して発熱する。この発熱により、表面損傷や表面起点型の剥離が発生しやすくなる。このような傾向は、高速回転になればなる程、顕著となる。結果的に、軸受寿命が短くなることが認められる。
【００１３】
ころと、軌道輪の軌道面との間の差動すべりの影響を緩和する方策として、ころの長さを短くすることが考えられる。しかしながら、ころの長さを単純に短くすれば、ころの接触面積が小さくなるので、ころの接触面圧が増大し、ころ外面に早期剥離等の問題が生じるおそれがある。
この発明の目的は、低トルクで高速回転に対応でき、さらに長寿命となる複列スラスト針状ころ軸受を提供することである。
【課題を解決するための手段】
【００１４】
この発明に従った複列スラスト針状ころ軸受は、対向する１対の軌道面の間で軸受の径方向外側に配置された外側ころと、軸受の径方向の内側に配置された内側ころとからなる転動体と、外側ころおよび内側ころを保持する保持器とを備える。保持器は、１対の軌道面に接触しないように転動体によって案内されている。
【００１５】
上記の構成の複列スラスト針状ころ軸受をエアーコンディショナー用コンプレッサ、オートマチックトランスミッション、無断変速機、車両の電動ブレーキ等に使用した場合、軸受の径方向に複数のころを配置しているので、針状ころの差動すべりを抑制でき、油膜切れによるころと軌道面との金属接触を防いで軸受部の発熱を抑制する。こうして高速回転への対応が可能となる。また、表面損傷や、表面起点型の剥離を防止することができるので、軸受の耐久性を向上させることができる。これらの利点に加えて、保持器を転動体案内とし、保持器と軌道面とが接触しないようにすることにより、軸受部の発熱をより効果的に抑制できる。
【００１６】
このように、径方向に複列の針状ころを配置することにより差動すべりを抑制し、かつ保持器を転動体案内にして軌道面を有する部材と保持器とを非接触にすることにより軸受が低トルクとなるので、客先のニーズである省燃費化を実現できる。
【００１７】
保持器を転動体案内とするために、好ましくは、軸受の回転軸線方向に沿う保持器の高さ寸法は、ころの直径よりも小さくする。
【００１８】
一つの実施形態では、スラスト針状ころ軸受の保持器は、周方向に間隔をあけて設けられた複数のポケットを含み、複数のポケットの各々に、外側ころおよび内側ころが収容されている。
【００１９】
他の実施形態では、スラスト針状ころ軸受の保持器は、軸受の径方向の外側の位置で周方向に間隔をあけて設けられた複数の外側ポケットと、軸受の径方向の内側の位置で周方向に間隔をあけて設けられた複数の内側ポケットとを含む。複数の外側ポケットの各々に、前記外側ころが収容され、複数の内側ポケットの各々に、内側ころが収容されている。
【００２０】
ころの端面形状に注目すると、外側ころはＦ端面（平面）またはＡ端面（丸面）を有し、内側ころはＦ端面またはＡ端面を有している。従って、外側ころの端面と内側ころの端面との組合せとして、Ｆ端面とＦ端面、Ａ端面とＡ端面、Ａ端面とＦ端面、Ｆ端面とＡ端面の４通りがある。
【００２１】
ころの長さに注目すると、外側ころと内側ころの長さを同じにしてもよいし、外側ころを内側ころよりも長くしてもよいし、外側ころを内側ころよりも短くしてもよい。
【００２２】
好ましくは、保持器のころ保持部の角部の形状を滑らかにだらす。このようにすれば、針状ころの表面に形成された潤滑油膜を切ることなく、針状ころを安定して案内保持することができる。
【００２３】
上記のような複列スラスト針状ころ軸受は、従来の単列ころ仕様のスラスト軸受に比べ、ピーリング寿命および軸受耐久性を向上させることができるので、ころのサイズを小さくしたり、ころの本数を減少させたりすることができる。保持器の１つのポケットに複数のころを配置する場合、ころの本数は減少しないが、ポケットの数は減少する。従って、軸受の軽量化・コンパクト化を図ることができる。言い換えれば、同一サイズの軸受であれば、複列ころ仕様のスラスト軸受は、従来の単列ころ仕様のスラスト軸受に比べ、高荷重条件下での対応が可能になる。
【発明を実施するための最良の形態】
【００２４】
本発明に従った複列スラスト針状ころ軸受は、自動車のエアコンディショナー用コンプレッサ、オートマチックトランスミッション、無断変速機、自動車や自動二輪車等の各種車両の電動ブレーキ等に用いられる。図１に示した両斜板タイプのコンプレッサの場合には、スラスト針状ころ軸受５２０として、本発明に従った複列スラスト針状ころ軸受を用いる。図２に示した片斜板タイプのコンプレッサの場合には、スラスト針状ころ軸受６２２として、本発明に従った複列スラスト針状ころ軸受を用いる。スラスト針状ころ軸受６２２の軌道面は、片面傾斜板６１２とロッド支持部材６１５の表面に直接形成されている。図３に示した可変容量片斜板タイプのコンプレッサの場合には、スラスト針状ころ軸受７２４として、本発明に従った複列スラスト針状ころ軸受を用いる。
【００２５】
また、本発明に従った複列スラスト針状ころ軸受が適用されるべき電動ブレーキの一例の基本的な構造は、特開２００３−２４７５７６号公報に開示されたものである。まず、この電動ブレーキの基本的な構造を説明する。図４は、特開２００３−２４７５７６号公報の図１をほぼそのまま引用して示している。
【００２６】
図４に示す電動ブレーキの一構成要素であるディスクロータ１０１は、自動車の駆動輪に接続されて一体に回転するものである。タイヤホイール１０５の内側において、１対の摩擦パッド１０３，１０４がディスクロータ１０１の両側の摩擦面１０２に当接し得るように配置されている。また、ディスクロータ１０１に臨ませて、車両本体にブラケット１０６を固定し、この固定側からディスクロータ１０１の外周を跨いで反対側に掛けて突設したキャリパ支持腕に、摩擦パッド１０３，１０４を摺動可能に配置している。
【００２７】
ブラケット１０６のキャリパ支持腕に、摩擦パッド１０３，１０４をディスクロータ１０１に押し付けるキャリパボディ１０８を１対のスライドピンにて進退可能に連結している。このキャリパボディ１０８は、ディスクロータ１０１を挟んで、一方の摩擦パッド１０３の背面に配置する作用部１１０と、他方の摩擦パッド１０４の背面に配置する反力爪１１１を設けた反作用部１１２と、ディスクロータ１０１の外周を跨いで作用部１１０および反作用部１１２とを連結するブリッジ部１１３とで構成されている。
【００２８】
作用部１１０は、シリンダ１１４内に、電動モータ１１５と、摩擦パッド１０３，１０４の押圧力を発生させる進退作動機構としてのボールねじ機構１１６と、このボールねじ機構１１６に電動モータ１１５の駆動力を減速して伝達する減速ギア機構１１７とを収納している。この減速ギア機構１１７は、電動モータ１１５の駆動力により回動可能な遊星腕１１８と、この遊星腕１１８に回動可能に軸支した遊星歯車１２３と、この遊星歯車１２３を回動させる太陽歯車１２６とから構成されている。
【００２９】
遊星腕１１８内に、軸受部１５８を介してボールねじ機構１１６のボールねじナット１３４を、回動可能で進退不能に収納している。このボールねじナット１３４は、遊星腕１１８の径大部側に配置した後端外周に、太陽歯車１２６よりも歯数の少ない減速歯車１３５を固定している。この減速歯車１３５を、遊星歯車１２３の第２歯車部に噛合し、遊星歯車１２３の回動によってボールねじナット１３４の回動を可能としている。
【００３０】
また、ボールねじナット１３４の中央にボール溝を設け、複数のボール１３７を介してボールねじ軸１３８を進退可能に螺着している。このボールねじ軸１３８は、先端に、一方の摩擦パッド１０３の押圧部材として、平板状のパッド押圧板１４０を接続している。このパッド押圧板１４０にて、摩擦パッド１０３を、広い面積で一部に押圧力を集中することなく押圧して、ディスクロータ１０１に平行に押し付け可能としている。
【００３１】
自動車の運転者がブレーキペダルを踏み込んで制動操作を行なうと、この踏み込み量に応じて電動モータ１１５が駆動し、遊星腕１１８がシリンダ１１４内を回動する。この遊星腕１１８の回動により、太陽歯車１２６に第１歯車部を噛合する遊星歯車１２３が、太陽歯車１２６の外周を回動する。この遊星歯車１２３の回動により、第２歯車部に減速歯車を噛合するボールねじナット１３４が回動する。
【００３２】
ボールねじ機構１１６の作用により、回動力がボールねじ軸１３８の摺動力に変換され、パッド押圧板１４０を介して作用部１１０側の摩擦パッド１０３を押圧摺動し、ディスクロータ１０１に押し付ける。さらに、ボールねじ軸１３８の摺動の反力で、キャリパボディ１０８が後退するので、反作用部１１２の反力爪１１１が、反作用部１１２側の摩擦パッド１０４を押圧摺動し、ディスクロータ１０１に押し付けることにより、制動が行なわれる。
【００３３】
図４に示す構造の電動ブレーキのでは、対面して相対回転する太陽歯車１２６と減速歯車１３５との間に、本発明の実施形態である複列スラスト針状ころ軸受１８０を配置している。
【００３４】
図５〜図７は、それぞれ、自動車のエアコンディショナー用コンプレッサや、オートマチックトランスミッション、無断変速機、電動ブレーキ等に使用されるべき複列スラスト針状ころ軸受の実施形態を示している。また、図８〜図１０は、それぞれ、異なったころの配置形態を示している。これらの図において、同一の参照番号は、同一または相当の要素を示すものである。また、これらの図では、軸受の軌道輪または軌道部材の図示を省略している。
【００３５】
まず、図５を参照して、複列スラスト針状ころ軸受の基本構造を説明する。複列スラスト針状ころ軸受は、固定側軌道輪（軌道部材）（図示省略）と、回転側軌道輪（軌道部材）（図示省略）と、両軌道輪の間に配置されて保持器３０１によって保持された複数のころ３０２，３０３とを備える。ころ３０２，３０３は、軸受の径方向に複数配置されている。ころ３０２は径方向に見て内側に配置され、ころ３０３は径方向に見て外側に配置されている。従って、以下の説明では、内側ころ３０２および外側ころ３０３と呼ぶ。
【００３６】
内側ころ３０２および外側ころ３０３を配置する形態として、基本的には図８〜図１０に示す３種類のものがある。
【００３７】
図８に示す保持器３０１は、周方向に間隔をあけて設けられた複数のポケット３１１を含み、各ポケット３１１内に内側ころ３０２と外側ころ３０３とが配置されている。
【００３８】
図９に示す保持器３０１は、軸受の径方向の外側の位置で周方向に間隔をあけて設けられた複数の外側ポケット３１２と、軸受の径方向の内側の位置で周方向に間隔をあけて設けられた複数の内側ポケット３１３とを含み、複数の外側ポケット３１２の各々に外側ころ３０３が収容され、複数の内側ポケット３１３の各々に内側ころ３０２が収容されている。図９に示す形態では、内側ころ３０２の数と、外側ころ３０３の数とが同じである。
【００３９】
図１０に示す保持器３０１は、図９に示した保持器と同様に、軸受の径方向の外側の位置で周方向に間隔をあけて設けられた複数の外側ポケット３１２と、軸受の径方向の内側の位置で周方向に間隔をあけて設けられた複数の内側ポケット３１３とを含み、複数の外側ポケット３１２の各々に外側ころ３０３が収容され、複数の内側ポケット３１３の各々に内側ころ３０２が収容されている。図１０に示す形態では、内側ころ３０２の数と、外側ころ３０３の数とが異なっている。具体的には、図示した形態では、外側ころ３０３の数が内側ころ３０２よりも多くなっている。
【００４０】
なお、図８〜図１０に示す形態では、径方向に２個のころを配置しているが、径方向に３個以上のころを配置することもある。また、スラスト針状ころ軸受は、必ずしも固定側軌道輪および回転側軌道輪を有しておらず、組み込まれるべき部材の相手側に直接転走面を有する構造のものでもよい。
【００４１】
図５〜図７に示す各実施形態において、相違しているのは保持器３０１の形態だけである。図５および図７に示す実施形態では、保持器３０１は、上下に重ね合わせて接合される板状の第１部材３０１ａと第２部材３０１ｂとからなる。図５に示す保持器３０１の場合、第１部材３０１ａの外周部分を折り曲げて第２部材３０１ｂの外周部をかしめて挟持するようにし、第２部材３０１ｂの内周部分を折り曲げて第１部材３０１ａの内周部をかしめて挟持するようにしている。
【００４２】
図７に示す保持器３０１の場合、リング状の第１部材３０１ａの外周部および内周部を第２部材３０１ｂ側に向かって折り曲げ、第２部材３０１ｂの外周部および内周部を第１部材３０１ａ側に向かって折り曲げている。第１部材３０１ａの折り曲げ外周部および内周部は、第２部材３０１ｂの折り曲げ外周部および内周部内に嵌め入れられている。
【００４３】
図６に示す保持器３０１は、例えば樹脂によって形成された単一部品である。
【００４４】
図５〜図７に示す各実施形態において、共通していることは、保持器３０１が、図示していない１対の軌道面（軌道部材）に接触しないように転動体３０２，３０３によって案内されていることである。言い換えれば、外側ころ３０３および内側ころ３０２が、保持器３０１を１対の軌道面に接触しないように抱えている。なお、軌道面を有する軌道輪を複列スラスト針状ころ軸受の構成部品としてもよいし、図２のように転がり支持される相手部材に直接軌道面を有してもよい。
【００４５】
寸法的な関係に注目すると、保持器３０１を転動体案内とするために、好ましくは、軸受の回転軸線方向に沿う保持器３０１の高さ寸法Ｔ１０を、内側ころ３０２および外側ころ３０３の直径Ｔ２０よりも小さくする。
【００４６】
このように保持器３０１を転動体案内とし、保持器３０１と軌道面（軌道部材）とが接触しないようにすることにより、軸受部の発熱をより効果的に抑制できる。
【００４７】
外側ころ３０３および内側ころ３０２の端面形状に注目すると、外側ころはＦ端面（平面）またはＡ端面（丸面）を有し、内側ころはＦ端面またはＡ端面を有している。したがって、外側ころの端面と内側ころの端面との組合せとして、以下の４通りがある。
【００４８】
（１）外側ころ３０３がＦ端面で、内側ころ３０２がＦ端面。
【００４９】
（２）外側ころ３０３がＦ端面で、内側ころ３０２がＡ端面。
【００５０】
（３）外側ころ３０３がＡ端面で、内側ころ３０２がＦ端面。
【００５１】
（４）外側ころ３０３がＡ端面で、内側ころ３０２がＡ端面。
【００５２】
外側ころ３０３および内側ころ３０２の長さに注目すると、通常は、両者を同じ長さにする。ただ、使用条件によって、両者の長さを異ならせる場合もある。具体的には、面圧が高くなる使用条件では、内側ころ３０２の長さを外側ころ３０３よりも長くすることがある。また、ころの滑りが大きくなる使用条件では、外側ころ３０３の長さを内側ころ３０２よりも長くすることがある。
【００５３】
保持器のころ保持部の形状に注目すると、針状ころを側面から抱える角部を滑らかにだらすようにするのが好ましい。このようなだらした保持部で針状ころを抱えるようにすれば、潤滑油膜を切ることなく、針状ころを安定して案内保持することができる。
【００５４】
また、ころの形状に注目すると、外側ころ３０３および内側ころ３０２の少なくとも一方のころにクラウニングを形成するようにしてもよい。このようにすれば、クラウニング形状の付加によりころの有効長さを短くして差動すべり減少効果を高めることができる。さらに、クラウニング形状でのエッジ部での負荷が軽減される効果もあり、軸受の摩擦トルクを減少させることができる。
【００５５】
複列スラスト針状ころ軸受が軌道輪を有する場合、この軌道輪が、少なくとも表層０．１ｍｍの深さまで粒径０．６μｍ以上の炭化物を単位面積当たり１００００個／ｍｍ２  以上、４００００個／ｍｍ２  未満有するようにしてもよい。このような軌道輪であれば、炭化物が変形抵抗として働くため、表層の材料強度を向上させる。さらに、ころと軌道輪との間の差動すべりや潤滑不良によって、軌道輪表面が発熱しても塑性流動の発生を抑制することができる。
【００５６】
図１１〜図１７を参照して、コンプレッサ、オートマチックトランスミッション、無断変速機、電動ブレーキ等に使用される複列スラスト針状ころ軸受の詳細構造を例示的に説明する。
【００５７】
図１１は、本発明の実施形態である複列スラスト針状ころ軸受の一例を示す図であり、（ａ）は平面図、（ｂ）は（ａ）のＩｂ−Ｉｂ線に沿った断面図、（ｃ）は（ｂ）の要部拡大図、そして（ｄ）は（ａ）のポケット部の要部拡大図、（ｅ）は（ｂ）のＩｅ−Ｉｅ線に沿った拡大断面図である。
【００５８】
この複列スラスト針状ころ軸受１は、複数の針状ころ２とこれら針状ころ２を周方向に所定ピッチで保持する２枚の環状の保持器３、４とからなっている。ここで、２枚の保持器３、４のそれぞれは、径方向において針状ころ２の長さＬよりも長い矩形状の複数のポケット５、６を有し、冷間圧延鋼鈑（ＳＰＣＣ）からなる鋼鈑をプレス加工にて形成している。各ポケット５、６の両側縁には対向する方向に突出するころ保持部５ａ、６ａを形成し、これらころ保持部５ａ、６ａで針状ころ２を上下方向に挟んで保持している。なお、保持器３、４は、これ以外にも例えば、ＳＣＭ４１５等の帯鋼をプレスで絞り成形しても良い。
【００５９】
針状ころ２は、外径側の針状ころ２ａと内径側の針状ころ２ｂで構成し、ポケット５、６内に複列で配置している。各針状ころ２ａ、２ｂにおいて、外径側部分と内径側部分との公転周速差が小さくなり、軌道面（図示せず）との滑りが抑制されるので、接触部の発熱が少なく、表面損傷や表面起点型の剥離を防止することができる。なお、ここでは複列の針状ころ２ａ、２ｂの長さを同一としているが、外径側の針状ころ２ａを内径側の針状ころ２ｂよりも長く、例えば１．２倍の長さにすることにより、外径側の負荷容量を上げるようにしても良い。また、針状ころ２ａ、２ｂの端面形状はフラットなＦ端面としたが、これ以外にも凸球状のＡ端面、あるいはＦ端面とＡ端面の組合せであっても良い。
【００６０】
図１１の（ｄ）に示すように、ころ保持部５ａ、６ａの径方向の長さＬａはころ長さＬよりも短く形成し、ころ保持部５ａ、６ａの両端に形成された凹部５ｂ、６ｂによって潤滑油が容易に通過することができる。なお、針状ころ２ａ、２ｂの端面は、フラットな形状に限らず円弧面で形成しても良い。
【００６１】
また、図１１の（ｅ）に示すように、ころ保持部５ａ、６ａの角部は、プレスでポケット５、６を打抜きする際にだらして形成するか、打抜き後、内縁部を面押し加工により角部を滑らかにだらしている。針状ころ２ａ、２ｂの表面に形成された潤滑油膜を切ることなく、針状ころ２ａ、２ｂを安定して案内保持することができる。
【００６２】
２枚の保持器３、４のうち、上側保持器３のころ保持部５ａの径方向外側は、図１１の（ｃ）に示すように、ころ保持部５ａの外端から折り曲げられた傾斜延出部３ａと、この傾斜延出部３ａの下端から径方向に向けて折り曲げられた外側板部３ｂとで構成されている。また、上側保持器３のころ保持部５ａの径方向内側は、同じくころ保持部５ａの内端から折り曲げられた傾斜延出部３ｃと、この傾斜延出部３ｃの下端から径方向に向けて折り曲げられた内側板部３ｄとで構成されている。
【００６３】
また、上側保持器３と同一型でポケット抜きされた下側保持器４のころ保持部６ａの径方向外側は、ころ保持部６ａの外端から折り曲げられた傾斜延出部４ａと、この傾斜延出部４ａの下端から径方向に向けて折り曲げられた外側板部４ｂとで構成されている。また、上側保持器４のころ保持部６ａの径方向内側は、同じくころ保持部６ａの内端から折り曲げられた傾斜延出部４ｃと、この傾斜延出部４ｃの下端から径方向に向けて折り曲げられた内側板部４ｄとで構成されている。
【００６４】
２枚の保持器３、４は、外側板部３ｂ、４ｂを互いに上下方向に重合させると共に、外側板部４ｂの最外端部を上方向に折り曲げて加締部７を形成している。また、内側板部３ｃ、４ｃも互いに上下方向に重合させると共に、内側板部３ｄの最内端部を下方向に折り曲げて加締部８を形成している。これら加締部７、８により、２枚の保持器３、４は内外端部を加締固定して強固に一体化されているため、運転中においても２枚の保持器３、４は分離することはない。また、外側板部３ｂ、４ｂおよび内側板部３ｄ、４ｄでは、針状ころ２の端面とポケット５、６との接触面積を広くとることができ、ドリリング摩耗を抑制することができる。
【００６５】
２枚の保持器３、４を固定した状態では、２枚の保持器３、４がなすころ保持部５ａ、６ａに対して、径方向の外側部分、内側部分とも上下方向の厚さＴ１、Ｔ２は、傾斜延出部３ａ、４ａおよび３ｃ、４ｃが存在することから、ころ保持部５ａ、６ａの上下方向の厚さＴ０よりも薄い。
【００６６】
以上の構成を有するスラスト針状ころ軸受１は、図１２に示すように、第１軸（回転軸）９の軌道面９ａと、第２軸（固定軸）１０の軌道面１０ａとの間を針状ころ２が転動するように、上側保持器３の加締部８を案内面としてすきまばめされる。第１軸９が回転すると、保持器３、４もこの第１軸９とともに回転し、針状ころ２が第１軸９の軌道面９ａと第２軸１０の軌道面１０ａとの間を転動する。ここで、図示しない油圧供給源から油路を経由してスラスト針状ころ軸受１内に供給される。
【００６７】
潤滑油は、油路を矢印ａのように通ってから第２軸１０の軌道面１０ａと下側保持器４のころ保持部６ａに対して径方向内側部分との間を矢印ｂのように通る。その後、潤滑油は、針状ころ２の周囲および保持器３、４で形成される空間内を矢印ｃのように通って、針状ころ２の側面と保持器３、４のころ保持部５ａ、６ｂとの間、針状ころ２の端面との間、および針状ころ２の側面と軌道面９ａ、１０ａとの間を潤滑し、第２軸１０の軌道面１０ａと保持器４のころ保持部６ａに対して径方向の外側部分との間、および第１軸９の軌道面９ａと保持器３のころ保持部５ａに対して径方向の外側部分との間を通って矢印ｄのように排出される。
【００６８】
この潤滑油による各部の潤滑に際し、図１１の（ｃ）に示すように２枚の保持器３、４がなすころ保持部５ａ、６ａに対して、径方向の外側部分、内側部分の上下方向の厚さＴ１、Ｔ２をころ保持部５ａ、６ａの上下方向の厚さＴ０よりも薄く形成しているため、第２軸１０の軌道面１０ａと下側保持器４のころ保持部６ａに対して径方向の内側部分との間の空間の断面積が従来に比べて大きくなり、潤滑油の流出性だけでなく流入性も向上している。したがって、軸受各部の焼付きを確実に防止することができると共に、針状ころ２の端面と保持器３、４のポケット５、６とのドリリング摩耗を抑制することができる。また、保持器３、４によって潤滑油の通過が遮られ難くなるため潤滑油が滞留し難くなり、油温の上昇を抑制することができ、保持器の強度アップと相俟って軸受の耐久性を一層向上させることができる。
【００６９】
なお、２枚の保持器の径方向の最外端部および最内端部のうち、少なくとも最内端部を固定するとともに、この保持器の全周に亘って表面硬さ６００Ｈｖ以上の硬化層を形成するようにしてもよい。このようにすれば、針状ころの端面と保持器のポケットのドリリング摩耗や案内面の摩耗を抑制することができる。従って、保持器の強度アップと相俟って軸受の耐久性を一層向上させることができる。
【００７０】
なお、上記においては、保持器３または４の最外端部もしくは最内端部を、部分的にまたは全周において図１３の（ａ）に示すようにＣ字状に折り曲げることにより加締める場合について説明したが、折り曲げによる加締めの形状はこれに限定されず、図１３（ｂ）〜（ｅ）に示すような形状であってもよい。
【００７１】
図１４は、樹脂製の保持器４０３を示している。保持器４０３は、針状ころ４０２の径方向の長さＬよりも長い矩形状の複数のポケット４０５を有している。各ポケット４０５の両側縁には、対向する方向に突出するころ保持部４０５ａ，４０５ｂが形成されている。これらころ保持部４０５ａ，４０５ｂによって針状ころ４０２が保持されている。
【００７２】
図１５は、図１４のポケット部分を拡大した平面図であり、図１６は図１５のＩＶ−ＩＶ線に沿った断面図である。針状ころ４０２は、外径側の針状ころ４０２ａと内径側の針状ころ４０２ｂとで構成され、ポケット４０５内に複列で配置されている。
【００７３】
ここで、ころ保持部４０５ａ，４０５ｂの径方向の長さＬａはころ長さＬよりも短く形成されることで、ころ保持部４０５ａ，４０５ｂの両端に形成された凹部４０５ｃによって潤滑油を容易に通過させることができる。
【００７４】
図１７は、本発明の一実施形態における複列スラスト針状ころ軸受の使用状態を説明する部分断面図である。複列スラスト針状ころ軸受４０１は、回転軸４０９の軌道面４０９ａと、固定軸４１０の軌道面４１０ａとの間を針状ころ４０２が転動するように、保持器４０３の内端部４０３ａを案内面としてすきまばめされる。回転軸４０９が回転すると、保持器４０３もこの回転軸４０９とともに回転し、針状ころ４０２が回転軸４０９の軌道面４０９ａと固定軸４１０の軌道面４１０ａとの間を転動する。ここで、図示しない油圧供給源から油路を経由して複列スラスト針状ころ軸受４０１内に潤滑油が供給される。
【００７５】
潤滑油は、油路を矢印ａのように通ってから、固定軸４１０の軌道面４１０ａと、保持器４０３の下側のころ保持部４０５ｂに対して径方向内側部分との間を矢印ｂのように通る。その後、潤滑油は、針状ころ４０２の周囲および保持器４０３で形成される空間内を矢印ｃのように通って、針状ころ４０２の側面と保持器４０３のころ保持部４０５ａ，４０５ｂとの間、針状ころ４０２の端面の間、および針状ころ４０２の側面と軌道面４０９ａ，４１０ａとの間を潤滑する。そして、固定軸４１０の軌道面４１０ａと、保持器４０３のころ保持部４０５ｂに対して径方向の外側部分との間、および回転軸４０９の軌道面４０９ａと保持器４０３のころ保持部４０５ａに対して径方向の外側部分との間を通って矢印ｄのように排出される。
【００７６】
保持器４０３は、例えば、ポリフェニレンサルファイドにグラスファイバを含む合成樹脂よりなっている。ポリフェニレンサルファイドは加水分解しない性質を有しているので、水分を多く含む雰囲気中でスラスト針状ころ軸受が使用される場合において、保持器が水分を吸収しにくく、保持器の寸法変化および強度低下が防止される。また、グラスファイバは高い機械的強度を有しているので、これを含むことにより保持器の強度および耐熱性を向上することができる。また、ポリフェニレンサルファイドにグラスファイバを含む合成樹脂は、加熱により溶融しやすく、かつ冷却により固化しやすいので、射出成形により保持器を製造することに適している。さらに、ポリフェニレンサルファイドにグラスファイバを含む合成樹脂は耐薬品性、耐油性に優れているので、薬品や油が付着する雰囲気中においてスラスト針状ころ軸受を使用することが可能となる。
【００７７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変更を加えることが可能である。
【産業上の利用可能性】
【００７８】
この発明は、自動車のエアーコンディショナー用コンプレッサ、オートマチックトランスミッション、無断変速機、車両の電動ブレーキ等に使用されるスラスト針状ころ軸受として有利に適用され得る。
【図面の簡単な説明】
【００７９】
【図１】エアーコンディショナ用の両斜板タイプのコンプレッサを示す縦断面図である。
【図２】エアーコンディショナー用の片斜板タイプのコンプレッサを示す縦断面図である。
【図３】エアーコンディショナー用の可変容量片斜板タイプのコンプレッサを示す縦断面図である。
【図４】電動ブレーキの一例を示す断面図である。
【図５】本発明に係る複列スラスト針状ころ軸受の一形態を示す断面図である。
【図６】本発明に係る複列スラスト針状ころ軸受の他の形態を示す断面図である。
【図７】本発明に係る複列スラスト針状ころ軸受のさらに他の形態を示す断面図である。
【図８】複数のころの配置形態の一例を示す平面図である。
【図９】複数のころの配置形態の他の例を示す平面図である。
【図１０】複数のころの配置形態のさらに他の例を示す平面図である。
【図１１】複列スラスト針状ころ軸受を示す図であり、（ａ）は平面図、（ｂ）は（ａ）の線Ｉｂ−Ｉｂ線に沿った断面図、（ｃ）は（ｂ）の要部拡大図、（ｄ）は（ａ）のポケット部の要部拡大図、（ｅ）は（ｂ）のＩｅ−Ｉｅ線に沿った断面図である。
【図１２】複列スラスト針状ころ軸受の使用状態を説明する部分断面図である。
【図１３】保持器の最外端部もしくは最内端部における加締めのための折り曲げ形状の種々のタイプを示す断面図である。
【図１４】保持器の要部斜視図である。
【図１５】保持器のポケット部分を拡大した平面図である。
【図１６】図１５のＩＶ−ＩＶ線に沿った断面図である。
【図１７】複列スラスト針状ころ軸受の使用状態を説明する部分断面図である。
【符号の説明】
【００８０】
１８０、２１３，２１７  複列スラスト針状ころ軸受、３０１  保持器、３０１ａ  第１部材、３０１ｂ  第２部材、３０２  内側ころ、３０３  外側ころ、３１１  ポケット、３１２  外側ポケット、３１３  内側ポケット。
【図１】
2006017201.tif 000003
【図２】
2006017201.tif 000004
【図３】
2006017201.tif 000005
【図４】
2006017201.tif 000006
【図５】
2006017201.tif 000007
【図６】
2006017201.tif 000008
【図７】
2006017201.tif 000009
【図８】
2006017201.tif 000010
【図９】
2006017201.tif 000011
【図１０】
2006017201.tif 000012
【図１１】
2006017201.tif 000013
【図１２】
2006017201.tif 000014
【図１３】
2006017201.tif 000015
【図１４】
2006017201.tif 000016
【図１５】
2006017201.tif 000017
【図１６】
2006017201.tif 000018
【図１７】
2006017201.tif 000019